(57)【要約】【課題】相手方コネクタの突出端子と係合する平板状端子の開口部の形状を左右非対称にすることによって、位置ずれを適切に吸収することができ、突出端子及び平板状端子の過大な削れ及び変形を防止することができるようにする。【解決手段】相手方コネクタの突出端子を収容可能な開口部を含む平板状端子を複数個有し、前記相手方コネクタと嵌合するコネクタであって、前記開口部は、幅広部と、幅狭部と、前記幅広部から幅狭部に移行する遷移部とを含み、平面視において、前記平板状端子の中心軸に関して左右非対称な第１の形状、又は、該第１の形状を前記中心軸に関して反転させた第２の形状を備え、前記平板状端子は、前記コネクタの幅方向に並んで配列され、かつ、前記第１の形状を備える開口部を含む平板状端子と前記第２の形状を備える開口部を含む平板状端子とが交互になるように配設される。【選択図】図１
2014010899.tif 000002
【特許請求の範囲】
【請求項１】
（ａ）相手方コネクタの突出端子を収容可能な開口部を含む平板状端子を複数個有し、前記相手方コネクタと嵌合するコネクタであって、
（ｂ）前記開口部は、幅広部と、幅狭部と、前記幅広部から幅狭部に移行する遷移部とを含み、平面視において、前記平板状端子の中心軸に関して左右非対称な第１の形状、又は、該第１の形状を前記中心軸に関して反転させた第２の形状を備え、
（ｃ）前記平板状端子は、前記コネクタの幅方向に並んで配列され、かつ、前記第１の形状を備える開口部を含む平板状端子と前記第２の形状を備える開口部を含む平板状端子とが交互になるように配設されることを特徴とするコネクタ。
【請求項２】
前記遷移部は、前記中心軸の左右のいずれか一方に形成された早期当接部と、他方に形成された後期当接部とを含み、
前記突出端子は、前記幅広部から幅狭部に移動する際、前記早期当接部に当接した後に後期当接部に当接する請求項１に記載のコネクタ。
【請求項３】
前記遷移部は、前記早期当接部に接続された早期誘込み部と、前記後期当接部に接続された後期誘込み部とを含み、
前記早期誘込み部及び後期誘込み部は、前記中心軸に対して傾斜した傾斜部であり、前記早期誘込み部は後期誘込み部よりも傾斜が急である請求項２に記載のコネクタ。
【請求項４】
前記平板状端子は、前記コネクタの幅方向に延在する複数の列を形成するように並んで配列され、
該列は、前記第１の形状を備える開口部を含む平板状端子から成る列と、前記第２の形状を備える開口部を含む平板状端子とから成る列とが交互になるように形成される請求項１〜３のいずれか１項に記載のコネクタ。
【請求項５】
前記第１の形状を備える開口部を含む平板状端子と、前記第２の形状を備える開口部を含む平板状端子とは、前記コネクタの幅方向に関して交互になるように配設される請求項１〜４のいずれか１項に記載のコネクタ。
【請求項６】
前記コネクタは幅方向外側に延出するコネクタ係合耳部を更に有し、該コネクタ係合耳部には前記コネクタの幅方向外側に突出するラッチ凸部が形成され、
前記相手方コネクタは、幅方向両側に配設され、前記コネクタ係合耳部と係合するコネクタ係合凹部を有し、該コネクタ係合凹部には前記相手方コネクタの幅方向中央に向けて突出する相手方ラッチ凸部が形成され、
前記開口部に収容された突出端子が前記幅広部から幅狭部に移動する方向に、前記相手方コネクタをコネクタに対して相対的に移動させると、前記ラッチ凸部が相手方ラッチ凸部を乗越える請求項１〜４のいずれか１項に記載のコネクタ。
【発明の詳細な説明】
【技術分野】
【０００１】
本発明は、コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ：個人用携帯情報端末）、デジタルカメラ、ビデオカメラ、音楽プレーヤ、ゲーム機、車両用ナビゲーション装置等の電子機器においては、装置や部品の小型化及び高性能化に対応するために、コネクタについても、小型化及び高密度化が要求されている。そこで、絶縁性の基板上に複数の導体パターンを形成して、それらの導体パターンの端部を他の基板等に接続するコネクタが提案されている（例えば、特許文献１参照。）。
【０００３】
図１３は従来のコネクタの斜視図である。
【０００４】
図において、９１１は、雌コネクタの基体としての雌側基体であり、図示されない回路基板の表面に装着されている。前記雌側基体９１１には、該雌側基体９１１の表裏面を貫通する端子収容開口９５４が形成され、該端子収容開口９５４内には、複数の雌側電極パターン９５１が所定の間隔で横方向に並んで配設されている。
【０００５】
前記雌側電極パターン９５１の各々は、雌側基体９１１の外側にまで延在するテール部９５８を備え、該テール部９５８が、回路基板の表面に形成された電気回路の導電トレースの各々に電気的に接続されている。また、前記雌側電極パターン９５１の各々は、内側開口９５４ａ、及び、該内側開口９５４ａの周囲を画定する腕部９５３を備える。さらに、前記内側開口９５４ａは、幅の狭い幅狭部分と該幅狭部分の両端近傍に形成された幅の広い幅広部分を備える。
【０００６】
そして、図示されない雄コネクタは、嵌（かん）合工程の初期工程では、雌コネクタに対して該雌コネクタの厚さ方向（図面に垂直な方向）に移動させられて嵌合する。この際、雌コネクタの表面から突出する図示されないバンプ状の雄側電極突起は、前記内側開口９５４ａの幅広部分に進入する。続いて、前記雄コネクタが雌コネクタに対して図における縦方向に移動させられると、前記雄側電極突起は、幅狭部分内に移動する。これにより、雄コネクタと雌コネクタとの嵌合が完了する。
【先行技術文献】
【特許文献】
【０００７】
【特許文献１】特開２００８−２７０１００号公報
【発明の概要】
【発明が解決しようとする課題】
【０００８】
しかしながら、前記従来のコネクタにおいては、製造上の公差等の影響によって、雄側電極突起の位置ずれや雌側電極パターン９５１の端子収容開口９５４の位置ずれが生じることがある。このような位置ずれが生じると、雄側電極突起や端子収容開口９５４に過大な削れや変形が発生する恐れがある。特に、コネクタの小型化及び高密度化の進展に伴って電極を小型化及び高密度化すると、電極の寸法及び位置に関する位置ずれによって生じる問題が大きくなる。
【０００９】
本発明は、前記従来のコネクタの問題点を解決して、相手方コネクタの突出端子と係合する平板状端子の開口部の形状を左右非対称にすることによって、位置ずれを適切に吸収することができ、突出端子及び平板状端子の過大な削れ及び変形を防止することができ、小型低背でありながら、信頼性の高いコネクタを提供することを目的とする。
【課題を解決するための手段】
【００１０】
そのために、本発明のコネクタにおいては、相手方コネクタの突出端子を収容可能な開口部を含む平板状端子を複数個有し、前記相手方コネクタと嵌合するコネクタであって、前記開口部は、幅広部と、幅狭部と、前記幅広部から幅狭部に移行する遷移部とを含み、平面視において、前記平板状端子の中心軸に関して左右非対称な第１の形状、又は、該第１の形状を前記中心軸に関して反転させた第２の形状を備え、前記平板状端子は、前記コネクタの幅方向に並んで配列され、かつ、前記第１の形状を備える開口部を含む平板状端子と前記第２の形状を備える開口部を含む平板状端子とが交互になるように配設される。
【００１１】
本発明の他のコネクタにおいては、さらに、前記遷移部は、前記中心軸の左右のいずれか一方に形成された早期当接部と、他方に形成された後期当接部とを含み、前記突出端子は、前記幅広部から幅狭部に移動する際、前記早期当接部に当接した後に後期当接部に当接する。
【００１２】
本発明の更に他のコネクタにおいては、さらに、前記遷移部は、前記早期当接部に接続された早期誘込み部と、前記後期当接部に接続された後期誘込み部とを含み、前記早期誘込み部及び後期誘込み部は、前記中心軸に対して傾斜した傾斜部であり、前記早期誘込み部は後期誘込み部よりも傾斜が急である。
【００１３】
本発明の更に他のコネクタにおいては、さらに、前記平板状端子は、前記コネクタの幅方向に延在する複数の列を形成するように並んで配列され、該列は、前記第１の形状を備える開口部を含む平板状端子から成る列と、前記第２の形状を備える開口部を含む平板状端子とから成る列とが交互になるように形成される。
【００１４】
本発明の更に他のコネクタにおいては、さらに、前記第１の形状を備える開口部を含む平板状端子と、前記第２の形状を備える開口部を含む平板状端子とは、前記コネクタの幅方向に関して交互になるように配設される。
【００１５】
本発明の更に他のコネクタにおいては、さらに、前記コネクタは幅方向外側に延出するコネクタ係合耳部を更に有し、該コネクタ係合耳部には前記コネクタの幅方向外側に突出するラッチ凸部が形成され、前記相手方コネクタは、幅方向両側に配設され、前記コネクタ係合耳部と係合するコネクタ係合凹部を有し、該コネクタ係合凹部には前記相手方コネクタの幅方向中央に向けて突出する相手方ラッチ凸部が形成され、前記開口部に収容された突出端子が前記幅広部から幅狭部に移動する方向に、前記相手方コネクタをコネクタに対して相対的に移動させると、前記ラッチ凸部が相手方ラッチ凸部を乗越える。
【発明の効果】
【００１６】
本発明によれば、コネクタは、相手方コネクタの突出端子と係合する平板状端子の開口部の形状が左右非対称となっている。これにより、位置ずれを適切に吸収することができ、突出端子及び平板状端子の過大な削れ及び変形を防止することができ、小型低背でありながら、信頼性を高めることができる。
【図面の簡単な説明】
【００１７】
【図１】本発明の実施の形態における雄コネクタを示す斜視図である。
【図２】本発明の実施の形態における雄コネクタの層構造を示す分解図である。
【図３】本発明の実施の形態における雌コネクタを示す嵌合面側を示す図であって、（ａ）は斜視図、（ｂ）は分解図である。
【図４】本発明の実施の形態における雌コネクタの要部拡大図であり図３におけるＡ部拡大図である。
【図５】本発明の実施の形態における雌コネクタを示す反嵌合面側を示す図であって、（ａ）は斜視図、（ｂ）は分解図である。
【図６】本発明の実施の形態における雄コネクタと雌コネクタとの嵌合工程を示す第１の平面図である。
【図７】本発明の実施の形態における雄コネクタと雌コネクタとの嵌合工程を示す第１の要部拡大図であり図６におけるＤ部拡大図であって、（ａ）は雌コネクタの反嵌合面側を示す図、（ｂ）は（ａ）における突出端子の横断面を示す図である。
【図８】本発明の実施の形態における雄コネクタと雌コネクタとの嵌合工程を示す第２の平面図である。
【図９】本発明の実施の形態における雄コネクタと雌コネクタとの嵌合工程を示す第２の要部拡大図であり図８におけるＤ部拡大図であって、（ａ）は雌コネクタの反嵌合面側を示す図、（ｂ）は（ａ）における突出端子の横断面を示す図である。
【図１０】本発明の実施の形態における雄コネクタと雌コネクタとの嵌合工程を示す第３の平面図である。
【図１１】本発明の実施の形態における雄コネクタと雌コネクタとの嵌合工程を示す第３の要部拡大図であり図１０におけるＤ部拡大図であって、（ａ）は雌コネクタの反嵌合面側を示す図、（ｂ）は（ａ）における突出端子の横断面を示す図である。
【図１２】本発明の実施の形態における雄コネクタと雌コネクタとが嵌合完了した状態を示す斜視図である。
【図１３】従来のコネクタの斜視図である。
【発明を実施するための形態】
【００１８】
以下、本発明の実施の形態について図面を参照しながら詳細に説明する。
【００１９】
図１は本発明の実施の形態における雄コネクタを示す斜視図、図２は本発明の実施の形態における雄コネクタの層構造を示す分解図である。
【００２０】
図において、１は本実施の形態におけるコネクタの一方である第１コネクタとしての雄コネクタであって、図示されない実装部材に実装されるコネクタであり、後述される第２コネクタとしての雌コネクタ１０１と嵌合して電気的に接続される。
【００２１】
なお、前記実装部材は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等であるが、必ずしも基板に限定されるものでなく、いかなる種類のものであってもよい。なお、ここでは基板であるものとして説明する。
【００２２】
本実施の形態において、雄コネクタ１、雌コネクタ１０１及びその他の部材に含まれる各部の構成及び動作を説明するために使用される上、下、左、右、前、後等の方向を示す表現は、絶対的なものでなく相対的なものであり、雄コネクタ１、雌コネクタ１０１及びその他の部材に含まれる各部が図に示される姿勢である場合に適切であるが、雄コネクタ１、雌コネクタ１０１及びその他の部材に含まれる各部の姿勢が変化した場合には、姿勢の変化に応じて変更して解釈されるべきものである。
【００２３】
そして、前記雌コネクタ１０１の相手方コネクタである雄コネクタ１は、平面形状が矩（く）形の平板状の本体部１１を有する。該本体部１１は、実装面側（反嵌合面側）（図１及び２における下側）から平坦（たん）な薄板部材である板状の補強板部としての補強層１６、細長い帯状の形状を備える絶縁性の薄板部材である板状の第１基板部である雄基板部としてのベースフィルム１５、及び、該ベースフィルム１５の一面（嵌合面側の面）に配設された平板状の端子部材である雄導体としての複数の導体パターン５１を有する。該導体パターン５１は、パターン分離空間５２によって互いに分離されている。なお、前記本体部１１は、厚さ方向の寸法が約０．３〜０．５〔ｍｍ〕程度であるが、その寸法は適宜変更することができる。
【００２４】
前記ベースフィルム１５は、例えば、ポリイミド等の樹脂から成るが、絶縁性を備えるものであれば、いかなる種類の材質であってもよい。また、前記ベースフィルム１５の他面（実装面側の面）には、平坦な薄板部材である板状の補強板部としての補強層１６が配設されている。該補強層１６は、例えば、ステンレス鋼等の金属から成るが、その材質は、樹脂であってもよいし、ガラス繊維、炭素繊維等を含む複合材であってもよいし、いかなる種類のものであってもよい。
【００２５】
そして、前記導体パターン５１は、例えば、あらかじめベースフィルム１５の一面に貼（てん）付された厚さが数〔μｍ〕〜数１０〔μｍ〕の銅箔（はく）にエッチング加工等を施してパターニングすることによって形成されたものであって、雄コネクタ１の横方向（幅方向）である本体部１１の長手方向に延在する前端１１ａ及び後端１１ｂに沿った２本の互いに分離した列を形成するように並んで配設され、各列内における隣接する導体パターン５１同士は、互いに分離され、所定のピッチで配列されている。
【００２６】
また、前端１１ａに沿った列と後端１１ｂに沿った列とは、本体部１１の長手方向に関し、前記ピッチの１／２だけずれるように配設されている。すなわち、前端１１ａに沿った列内における導体パターン５１と後端１１ｂに沿った列内における導体パターン５１とは、雄コネクタ１の横方向（幅方向）に関し、互いに半ピッチずれて千鳥状となるように配列されている。
【００２７】
各導体パターン５１は、並列に配設された平板状の端子部材であって、本体部１１の嵌合面に露出するとともに、雄端子としての突出端子５３を１本ずつ備える。なお、図に示される例において、導体パターン５１及び突出端子５３は、本体部１１の幅方向に延在する列を２本形成するように、所定のピッチ、例えば、０．４〔ｍｍ〕程度で、並んで配設されているが、導体パターン５１及び突出端子５３の数、ピッチその他配列の態様は、図に示される例に限定されるものではなく、任意に変更することができる。
【００２８】
前記突出端子５３の各々は、導体パターン５１の表面から突出する部材であり、例えば、フォトリソグラフィ技術を利用したエッチング等の方法によって、導体パターン５１と一体的に形成されている。なお、前記突出端子５３の高さ方向の寸法は、例えば、０．１〜０．３〔ｍｍ〕程度であるが、適宜変更することができる。
【００２９】
また、前記突出端子５３の上面及び横断面の形状は、幅方向の寸法よりも前後方向の寸法の方が大きいことが望ましい。さらに、前方が尖（とが）った野球のホームベースのような五角形又は六角形、すなわち、前方に傾斜部を備える形状であることがより望ましい。しかしながら、必ずしもこのような形状に限定されるものではなく、円形や楕（だ）円形であってもよく、任意に変更することができる。
【００３０】
本実施の形態において、前記突出端子５３の側面形状は、図１に示されるように、凹面となっていることが望ましい。具体的は、突出端子５３において、導体パターン５１の表面に接続されている部分である基端部５３ａの幅寸法は、上端部である先端部５３ｂの幅寸法以上であり、基端部５３ａと先端部５３ｂとの間の側面部５３ｃは、基端部５３ａ及び先端部５３ｂよりもその幅方向内側に向けて凹入するような形状の滑らかでスムーズな面となっている。なお、前記側面部５３ｃの形状は、緩やかに連続した曲面であることが望ましいが、複数の斜面が連続した屈曲面であってもよい。
【００３１】
また、各導体パターン５１は、ベースフィルム１５の他面（実装面側の面）に配設された対応する図示されない実装パターンに、例えば、ベースフィルム１５に形成されたスルーホール等を介して、電気的に接続されている。そして、各実装パターンは、実装部材としての基板の表面に形成された接続パッドにはんだ付等によって接続される。これにより、雄コネクタ１は基板に取付けられ、かつ、導体パターン５１及び突出端子５３は基板の接続パッドと電気的に接続された状態となる。なお、前記実装パターンに代えて、例えば、各導体パターン５１に、本体部１１の短手方向に延出し、ベースフィルム１５よりも外側に突出するようなテール部を形成し、該テール部を基板の接続パッドに接続するようにしてもよい。
【００３２】
また、前記導体パターン５１の側方には、補助金具５６が配設されている。該補助金具５６は、例えば、前記導体パターン５１とともに、あらかじめベースフィルム１５の一面に貼付された厚さが数〔μｍ〕〜数１０〔μｍ〕の銅箔にエッチング加工等を施してパターニングすることによって形成されたものであって、本体部１１の短手方向に延在し、導体パターン５１から分離して本体部１１の長手方向両端に配設されている。
【００３３】
各補助金具５６には、後述する雌コネクタ１０１のコネクタ係合耳部１１３が進入する凹入部５６ａと、本体部１１の長手方向外方向に延出する固定用耳部５６ｂが形成されている。そして、前記本体部１１の実装面においては、前記固定用耳部５６ｂの裏面が露出し、該露出した部分は、基板の表面に形成された固定用パッドにはんだ付等によって接続される。これにより、雄コネクタ１は基板に強固に取付けられる。
【００３４】
前記補助金具５６の表面（嵌合面側の面）には、平坦な板状の係合部材としての係合補強板１８が配設されている。該係合補強板１８は、例えば、ステンレス鋼等の金属から成るが、その材質は、樹脂であってもよいし、ガラス繊維、炭素繊維等を含む複合材であってもよいし、いかなる種類のものであってもよい。また、各係合補強板１８には、雌コネクタ１０１のコネクタ係合耳部１１３が進入する入口凹部１８ａが形成されている。
【００３５】
そして、前記係合補強板１８は、平板状のスペーサ部材５７を介して、補助金具５６の表面に接合されて固定される。この場合、入口凹部１８ａが凹入部５６ａに対応する位置に配設されるので、図１に示されるように、雌コネクタ１０１のコネクタ係合耳部１１３と係合するコネクタ係合凹部１３が形成される。なお、入口凹部１８ａの寸法が凹入部５６ａの寸法よりも小さいので、前記コネクタ係合凹部１３における本体部１１の前端１１ａ寄りの部分に、庇（ひさし）状の抜止め部１３ｂ、及び、該抜止め部１３ｂに覆われた抜止め凹部１３ａが形成される。
【００３６】
さらに、前記コネクタ係合凹部１３乃至入口凹部１８ａの奥に位置する側壁には、雄コネクタ１の幅方向中央に向けて突出する相手方ラッチ凸部としてのラッチ凸部１８ｂが形成されている。該ラッチ凸部１８ｂは三角形状の平面形状を備える。そして、前記入口凹部１８ａにおけるラッチ凸部１８ｂの前端１１ａ寄りの部分、及び、後端１１ｂ寄りの部分は、前側ラッチ凹部１８ｃ及び後側ラッチ凹部１８ｄとなっている。望ましくは、三角形状のラッチ凸部１８ｂの後方側（後側ラッチ凹部１８ｄ側）の斜面は、前方側（前側ラッチ凹部１８ｃ側）の斜面よりも傾斜が緩やかになるように形成されている。
【００３７】
次に、雌コネクタ１０１の構成について説明する。
【００３８】
図３は本発明の実施の形態における雌コネクタを示す嵌合面側を示す図、図４は本発明の実施の形態における雌コネクタの要部拡大図であり図３におけるＡ部拡大図、図５は本発明の実施の形態における雌コネクタを示す反嵌合面側を示す図である。なお、図３及び５において、（ａ）は斜視図、（ｂ）は分解図である。
【００３９】
本実施の形態において、雌コネクタ１０１は、コネクタの他方としての第２コネクタであって、矩形状の平面形状を備え、その相手方コネクタである前記第１コネクタとしての雄コネクタ１と嵌合して電気的に接続される。また、前記雌コネクタ１０１は、プリント回路基板、フレキシブルフラットケーブル、フレキシブル回路基板等の実装部材に実装されるものであってもよいが、ここでは、フレキシブルフラットケーブル、フレキシブル回路基板等の平板状ケーブルの先端に接続されるものであるとして説明する。
【００４０】
図に示される例において、雌コネクタ１０１は、平板状のケーブル部１１２と、該ケーブル部１１２の先端に形成又は接続された接続部としての平板状の本体部１１１とを有する。そして、該本体部１１１及びケーブル部１１２は、反嵌合面側（図３における下側）から、板状部材から成る補強板部としての係合補強板１１６、前記ケーブル部１１２と共通の絶縁性の薄板部材から成る板状の雌基板部である絶縁層としてのベースフィルム１１５、該ベースフィルム１１５の一面（図３（ｂ）における上面）に並列に配設された複数本の導電線としての配線１６１、前記ケーブル部１１２と共通の絶縁性の薄板部材から成り、前記配線１６１を被覆する板状の雌被覆部である絶縁層としてのカバーフィルム１１７、平板状の端子部材である雌導体部としての複数の平板状端子１５１、及び、板状部材から成る補強層１１９を有する。なお、平板状端子１５１は本体部１１１にのみ存在し、補強層１１９はケーブル部１１２にのみ存在する。
【００４１】
前記平板状端子１５１は、略楕円乃至小判型の平面形状を有し、端子分離空間１５２によって互いに分離されている。また、前記配線１６１の各々は、平板状ケーブルの対応する導電トレースに電気的に接続されている。なお、前記本体部１１１は、厚さ方向の寸法が約０．３〜０．５〔ｍｍ〕程度であるが、その寸法は適宜変更することができる。
【００４２】
前記ベースフィルム１１５及びカバーフィルム１１７は、例えば、ポリイミド等の樹脂から成るが、絶縁性を備えるものであれば、いかなる種類の材質であってもよい。また、前記係合補強板１１６及び補強層１１９は、例えば、ステンレス鋼等の金属から成るが、その材質は、樹脂であってもよいし、ガラス繊維、炭素繊維等を含む複合材であってもよいし、いかなる種類のものであってもよい。
【００４３】
そして、前記配線１６１は、例えば、あらかじめベースフィルム１１５の一面に貼付された厚さが数〔μｍ〕〜数１０〔μｍ〕の銅箔にエッチング加工等を施してパターニングすることによって形成されたものであって、互いに平行となるように所定のピッチで配列されている。
【００４４】
また、前記平板状端子１５１は、例えば、あらかじめカバーフィルム１１７の一面に貼付された厚さが数〔μｍ〕〜数１０〔μｍ〕の銅箔にエッチング加工等を施してパターニングすることによって形成されたものであって、雌コネクタ１０１の横方向（幅方向）に延在する本体部１１１の前端１１１ａに沿った列とケーブル部１１２寄りの列とを形成するように並んで配設され、列同士及び各列内における隣接する平板状端子１５１同士は、互いに分離され、所定のピッチで配列されている。なお、該ピッチは、前記雄コネクタ１の導体パターン５１のピッチ及び配線１６１のピッチと等しくなるように設定される。
【００４５】
そして、前端１１１ａに沿った列とケーブル部１１２寄りの列とは、雌コネクタ１０１の横方向に関し、前記ピッチの１／２だけずれるように配設されている。すなわち、前端１１１ａに沿った列内における平板状端子１５１とケーブル部１１２寄りの列内における平板状端子１５１とは、雌コネクタ１０１の横方向に関し、互いに半ピッチずれて千鳥状となるように配列されている。
【００４６】
各平板状端子１５１は、図４に示されるように、略徳利状の平面形状を備える突出端子収容開口としての開口部１５４、該開口部１５４の左右両側を画定する第１端子部材としての腕部１５３及び端子接続孔（こう）１５１ａを有するとともに、左右非対称の平面形状、すなわち、線対称でない平面形状を有する。各平板状端子１５１の中心軸Ｃは、平面視において、対応する配線１６１の中心軸と一致し、端子接続孔１５１ａの中心も対応する配線１６１の中心軸上に位置する。なお、前記開口部１５４は、平板状端子１５１を板厚方向に貫通する。そして、平板状端子１５１の外形は、前記中心軸Ｃを対称軸とする左右対称な平面形状を有するが、開口部１５４は前記中心軸Ｃに関して左右非対称の平面形状を有する。
【００４７】
前記開口部１５４は、平板状端子１５１が雄コネクタ１の突出端子５３と嵌合する際に、該突出端子５３が進入して収容される部分である。そして、前記開口部１５４は、略円形乃至卵形の幅広部１５４ａと、該幅広部１５４ａにおける本体部１１１の前端１１１ａ側に接続され、該前端１１１ａに向けて延在する通路状の幅狭部１５４ｂとを含んでいる。なお、前記幅広部１５４ａ及び幅狭部１５４ｂの幅方向の中心は、前記中心軸Ｃ上に位置する。
【００４８】
前記幅広部１５４ａは、突出端子５３がその先端部５３ｂから進入する部分であり、その内側部分の寸法は、突出端子５３の先端部５３ｂの外側寸法よりも大きく形成されている。これにより、平板状端子１５３と突出端子５３とが嵌合する際に、突出端子５３は幅広部１５４ａ内にスムーズに進入することができる。また、前記幅狭部１５４ｂは、雌コネクタ１０１を雄コネクタ１に対して相対的に図３における矢印Ｂで示される方向（後方向）にスライドさせると、幅広部１５４ａに進入した突出端子５３が移動してくる部分である。前記幅狭部１５４ｂの幅寸法は、突出端子５３の側面部５３ｃの径又は幅寸法と同程度又はやや小さく、かつ、先端部５３ｂの幅よりも小さな幅寸法となるように形成される。そのため、突出端子５３が幅狭部１５４ｂ内に移動すると、両側の腕部１５３は、突出端子５３の側面部５３ｃに当接し、弾性的に変位させられ、その間隔が押広げられる。したがって、突出端子５３が腕部１５３の接圧を受けるので、突出端子５３と平板状端子１５１との導通が確実に維持される。
【００４９】
そして、前記幅広部１５４ａから幅狭部１５４ｂに移行する遷移部１５５は、幅狭部１５４ｂに近付くにつれて幅寸法が漸次減少するように形成されているが、左右非対称な平面形状を有する。前記遷移部１５５の左右のいずれか一方の側面は、早期誘込み部としての第１傾斜部１５５ａであり、該第１傾斜部１５５ａと幅狭部１５４ｂとの境界部が早期誘込み部に接続された早期当接部としての第１頂部１５５ｂである。また、前記遷移部１５５の他方の側面は、後期誘込み部としての第２傾斜部１５５ｃであり、該第２傾斜部１５５ｃと幅狭部１５４ｂとの境界部が後期誘込み部に接続された後期当接部としての第２頂部１５５ｄである。
【００５０】
第１傾斜部１５５ａは、第２傾斜部１５５ｃよりも傾斜が急（中心軸Ｃに対する傾斜角度が大きい）であり、その結果、第１頂部１５５ｂは、第２頂部１５５ｄよりも後方（ケーブル部１１２寄り）に位置する。そのため、雌コネクタ１０１を雄コネクタ１に対して相対的に図３における矢印Ｂで示される方向にスライドさせると、幅広部１５４ａ内の突出端子５３は、まず、第１傾斜部１５５ａ及び第１頂部１５５ｂに当接した後に、第２傾斜部１５５ｃ及び第２頂部１５５ｄに当接して、幅狭部１５４ｂ内に移動する。
【００５１】
これにより、製造上の公差等の影響によって、平板状端子１５１とそれに対応する突出端子５３との位置がずれていても、突出端子５３は、常に、第１傾斜部１５５ａ及び第１頂部１５５ｂに先に当接することとなるので、第１傾斜部１５５ａ及び第１頂部１５５ｂが形成された側の腕部１５３である第１腕部１５３ａが他方の腕部１５３である第２腕部１５３ｂよりも先に弾性変形を開始して、位置ずれを吸収することができる。
【００５２】
図に示される例においては、前端１１１ａに沿った列内におけるすべての平板状端子１５１では、第１傾斜部１５５ａ及び第１頂部１５５ｂが前端１１１ａから観て中心軸Ｃの左側に形成され、ケーブル部１１２寄りの列内におけるすべての平板状端子１５１では、第１傾斜部１５５ａ及び第１頂部１５５ｂが前端１１１ａから観て中心軸Ｃの右側に形成されている。
【００５３】
換言すると、前端１１１ａに沿った列内における平板状端子１５１の開口部１５４が中心軸Ｃに関して左右非対称な第１の形状を備えるものとすると、ケーブル部１１２寄りの列内における平板状端子１５１の開口部１５４は、第１の形状を中心軸Ｃに関して反転させた第２の形状を備える。つまり、前端１１１ａに沿った列は第１の形状を備える開口部１５４を含む平板状端子１５１から成り、ケーブル部１１２寄りの列は第２の形状を備える開口部１５４を含む平板状端子１５１から成る。そして、第１の形状を備える開口部１５４を含む平板状端子１５１から成る列と、第２の形状を備える開口部１５４を含む平板状端子１５１とから成る列とが交互になるように形成されるように、平板状端子１５１が配列されている。
【００５４】
もっとも、前端１１１ａに沿った列とケーブル部１１２寄りの列とは、雌コネクタ１０１の横方向（幅方向）に関し、ピッチの１／２だけずれるように配設されているのであるから、雌コネクタ１０１の幅方向に着目するならば、第１の形状を備える開口部１５４を含む平板状端子１５１と、第２の形状を備える開口部１５４を含む平板状端子１５１とは、雌コネクタ１０１の幅方向に関して交互になるように配設されている、とも言える。
【００５５】
なお、前端１１１ａに沿った列は第２の形状を備える開口部１５４を含む平板状端子１５１から成り、ケーブル部１１２寄りの列は第１の形状を備える開口部１５４を含む平板状端子１５１から成るように変更することもできる。
【００５６】
このように、第１の形状を備える開口部１５４を含む平板状端子１５１と第２の形状を備える開口部１５４を含む平板状端子１５１とが交互になるように配設することによって、すなわち、突出端子５３が先に当接する第１傾斜部１５５ａ及び第１頂部１５５ｂが形成された第１腕部１５３ａの位置を、隣接する列毎に、又は、横方向に隣接する平板状端子１５１毎に、左右反転するように平板状端子１５１を配列することによって、突出端子５３及び平板状端子１５１が相互に相手から受ける横方向の力が、全体として均等化される。したがって、互いに嵌合する雄コネクタ１及び雌コネクタ１０１の状態が安定し、いわゆる斜め嵌合が発生することがなく、すべての突出端子５３と平板状端子１５１とが安定的に接触する。
【００５７】
前記カバーフィルム１１７には、各平板状端子１５１の開口部１５４及び端子接続孔１５１ａに対応する位置に、端子対応開口１１７ａ及びスルーホール１１７ｂが形成されている。つまり、端子対応開口１１７ａ及びスルーホール１１７ｂは、平板状端子１５１と同様に、２本の列内において互いに半ピッチずれて千鳥状となるように配列されている。前記端子対応開口１１７ａ及びスルーホール１１７ｂは、カバーフィルム１１７を板厚方向に貫通する。また、前記端子対応開口１１７ａは、略楕円状又は長円状の平面形状を備え、開口部１５４よりは大きいが平板状端子１５１の外形よりは小さい程度の大きさに形成される。さらに、カバーフィルム１１７におけるケーブル部１１２に対応する部分には、各配線１６１に対応する位置に、カバーフィルム１１７を板厚方向に貫通する配線対応開口１１７ｃが形成されている。該配線対応開口１１７ｃの各々には、対応する配線１６１の嵌合側の面が露出している。なお、前記配線対応開口１１７ｃは、不要であれば、省略することもできる。
【００５８】
また、各配線１６１の先端には、略円形の接続端部１６２が形成され、該接続端部１６２には配線接続孔１６２ａが形成されている。該配線接続孔１６２ａは、その中心が配線１６１の中心軸上に位置し、配線１６１を板厚方向に貫通する。また、各配線１６１は、その配線接続孔１６２ａが対応する平板状端子１５１の端子接続孔１５１ａ及びカバーフィルム１１７のスルーホール１１７ｂに対応する位置となるように配設されている。
【００５９】
そして、カバーフィルム１１７の上面側、すなわち、嵌合側の第１番目の層に属する各平板状端子１５１の端子接続孔１５１ａは、スルーホール１１７ｂを通過する導通部材を介して、カバーフィルム１１７の下面側、すなわち、嵌合側の第３番目の層に属する対応する配線１６１の配線接続孔１６２ａと導通されている。つまり、平板状端子１５１と配線１６１とは、雌コネクタ１０１の相違する層上に配設され、導通部材を介して、互いに電気的に接続されている。
【００６０】
また、前記配線１６１の接続端部１６２及び配線接続孔１６２ａは、２本の列内において互いに半ピッチずれて千鳥状となるように配列された平板状端子１５１に対応するように配列されている。したがって、前記配線１６１は、その先端である接続端部１６２が本体部１１１の前端１１１ａに近い位置にある長い配線１６１と、接続端部１６２が本体部１１１の前端１１１ａから遠い位置にある短い配線１６１とが交互に並ぶように、配列されている。そして、長い配線１６１は、平面視において、ケーブル部１１２寄りの列における互いに隣接する平板状端子１５１同士の間を通過する。
【００６１】
前記ベースフィルム１１５には、各平板状端子１５１の開口部１５４に対応する位置に、端子対応開口１１５ａが形成されている。つまり、端子対応開口１１５ａは、平板状端子１５１と同様に、２本の列内において互いに半ピッチずれて千鳥状となるように配列されている。前記端子対応開口１１５ａは、ベースフィルム１１５を板厚方向に貫通する。また、前記端子対応開口１１５ａは、略楕円状又は長円状の平面形状を備え、開口部１５４よりは大きいが平板状端子１５１の外形よりは小さい程度の大きさに形成される。さらに、ベースフィルム１１５におけるケーブル部１１２に対応する部分には、各配線１６１に対応する位置に、ベースフィルム１１５を板厚方向に貫通する配線対応開口１１５ｃが形成されている。該配線対応開口１１５ｃの各々には、対応する配線１６１の反嵌合面側の面に形成された厚肉の接続凸部１６１ａが露出している。該接続凸部１６１ａは、実装部材としての図示されない平板状ケーブルの先端に露出する導電線に、はんだ付等の手段によって接続される。
【００６２】
また、係合補強板１１６にも、各平板状端子１５１の開口部１５４に対応する位置に、端子対応開口１１６ａが形成されている。つまり、端子対応開口１１６ａは、平板状端子１５１と同様に、２本の列内において互いに半ピッチずれて千鳥状となるように配列されている。前記端子対応開口１１６ａは、係合補強板１１６を板厚方向に貫通する。また、前記端子対応開口１１６ａは、略楕円状又は長円状の平面形状を備え、開口部１５４よりは大きいが平板状端子１５１の外形よりは小さい程度の大きさに形成される。さらに、係合補強板１１６におけるケーブル部１１２に対応する部分には、右一対の腕部１１６ｂが後方に向けて延出する。これにより、ケーブル部１１２の反嵌合面側には、三方を係合補強板１１６によって囲まれた接続凹部１１２ａが画定される。該接続凹部１１２ａ内には、実装部材としての図示されない平板状ケーブルの先端が収容される。
【００６３】
また、前記係合補強板１１６における本体部１１１に対応する部分の左右両側には、雌コネクタ１０１の幅方向外側に延出するコネクタ係合耳部１１３が一体的に形成されている。該コネクタ係合耳部１１３は、雌コネクタ１０１が雄コネクタ１と嵌合すると該雄コネクタ１のコネクタ係合凹部１３と係合する部材であり、雌コネクタ１０１が雄コネクタ１から離脱することを防止する。
【００６４】
そして、前記コネクタ係合耳部１１３の後端（ケーブル部１１２側端）には、凹入する抜止め部１１３ｂ、及び、該抜止め部１１３ｂを覆うような庇状の抜止め凸部１１３ａが形成される。前記コネクタ係合耳部１１３がコネクタ係合凹部１３と係合した状態で、雌コネクタ１０１を雄コネクタ１に対して該雄コネクタ１の前端１１ａの方向に相対的スライドさせると、前記抜止め凸部１１３ａ及び抜止め部１１３ｂがコネクタ係合凹部１３の抜止め凹部１３ａ及び抜止め部１３ｂと係合し、コネクタ係合耳部１１３がコネクタ係合凹部１３から離脱することを防止する。
【００６５】
また、前記コネクタ係合耳部１１３には、雌コネクタ１０１の幅方向外側に向けて突出するラッチ凸部１１８が形成されている。該ラッチ凸部１１８は三角形状の平面形状を備え、雄コネクタ１の入口凹部１８ａにおける前側ラッチ凹部１８ｃ及び後側ラッチ凹部１８ｄと嵌合可能なっている。望ましくは、三角形状のラッチ凸部１１８の後方側（抜止め凸部１１３ａ側）の斜面は、前方側（前端１１１ａ側）の斜面よりも傾斜が緩やかになるように形成されている。
【００６６】
次に、前記構成の雄コネクタ１と雌コネクタ１０１とを嵌合する動作について説明する。
【００６７】
図６は本発明の実施の形態における雄コネクタと雌コネクタとの嵌合工程を示す第１の平面図、図７は本発明の実施の形態における雄コネクタと雌コネクタとの嵌合工程を示す第１の要部拡大図であり図６におけるＤ部拡大図、図８は本発明の実施の形態における雄コネクタと雌コネクタとの嵌合工程を示す第２の平面図、図９は本発明の実施の形態における雄コネクタと雌コネクタとの嵌合工程を示す第２の要部拡大図であり図８におけるＤ部拡大図、図１０は本発明の実施の形態における雄コネクタと雌コネクタとの嵌合工程を示す第３の平面図、図１１は本発明の実施の形態における雄コネクタと雌コネクタとの嵌合工程を示す第３の要部拡大図であり図１０におけるＤ部拡大図、図１２は本発明の実施の形態における雄コネクタと雌コネクタとが嵌合完了した状態を示す斜視図である。なお、図７、９及び１１において、（ａ）は雌コネクタの反嵌合面側を示す図、（ｂ）は（ａ）における突出端子の横断面を示す図である。
【００６８】
オペレータは、雄コネクタ１の嵌合面（図１における上側の面）と雌コネクタ１０１の嵌合面（図３における上側の面）とを対向させた状態として、雌コネクタ１０１を雄コネクタ１に対して相対的に下降させ、すなわち、嵌合方向に移動させ、雄コネクタ１の嵌合面と雌コネクタ１０１の嵌合面とを当接又は近接させる。
【００６９】
これにより、図６に示されるように、雌コネクタ１０１の左右のコネクタ係合耳部１１３が、雄コネクタ１の左右のコネクタ係合凹部１３に進入するとともに、雄コネクタ１の突出端子５３の各々が、雌コネクタ１０１の対応する平板状端子１５１の開口部１５４における幅広部１５４ａ内に進入する。この場合、前記コネクタ係合凹部１３の内側寸法がコネクタ係合耳部１１３の外側寸法よりも大きく形成されているので、コネクタ係合耳部１１３はコネクタ係合凹部１３内にスムーズに進入することができる。また、該コネクタ係合凹部１３の奥に位置する後側ラッチ凹部１８ｄの内側寸法がコネクタ係合耳部１１３の先端のラッチ凸部１１８の外側寸法よりも大きく形成されているので、ラッチ凸部１１８は後側ラッチ凹部１８ｄ内にスムーズに進入することができる。さらに、図７（ａ）に示されるように、前記幅広部１５４ａの内側寸法が突出端子５３の先端部５３ｂの外側寸法よりも大きく形成されているので、突出端子５３は幅広部１５４ａ内にスムーズに進入することができる。
【００７０】
続いて、オペレータは、雌コネクタ１０１を雄コネクタ１に対して該雄コネクタ１の前端１１ａの方向（図３において、矢印Ｂで示される方向）に、相対的にスライドさせる。すなわち、雄コネクタ１の嵌合面と雌コネクタ１０１の嵌合面とを当接又は接近させた状態で雌コネクタ１０１を雄コネクタ１に対して該雄コネクタ１の前方に相対的に前進させる。
【００７１】
すると、図８に示されるように、左右のコネクタ係合耳部１１３の先端のラッチ凸部１１８の後方側の斜面が、後側ラッチ凹部１８ｄの前端１１ａ寄りに位置するラッチ凸部１８ｂの後方側の斜面に当接する。そして、オペレータが雌コネクタ１０１を雄コネクタ１に対して該雄コネクタ１の前方に相対的に更に前進させると、雌コネクタ１０１のラッチ凸部１１８及び／又は雄コネクタ１のラッチ凸部１８ｂが弾性的に変形し、雌コネクタ１０１のラッチ凸部１１８が雄コネクタ１のラッチ凸部１８ｂを乗越えて、図１０に示されるように、前側ラッチ凹部１８ｃ内に進入する。このように、雌コネクタ１０１のラッチ凸部１１８が雄コネクタ１のラッチ凸部１８ｂを乗越える際には、雌コネクタ１０１のラッチ凸部１１８及び／又は雄コネクタ１のラッチ凸部１８ｂが弾性的に変形することによって反力が発生する。また、振動や音が発生することもある。オペレータは、このような反力、振動、及び／又は、音をクリック感として、知覚することができる。
【００７２】
なお、ラッチ凸部１８ｂの後方側（後側ラッチ凹部１８ｄ側）の斜面は、前方側（前側ラッチ凹部１８ｃ側）の斜面よりも傾斜が緩やかで、かつ、ラッチ凸部１１８の後方側（抜止め凸部１１３ａ側）の斜面は、前方側（前端１１１ａ側）の斜面よりも傾斜が緩やかなので、オペレータは、大きな力を発揮しなくても、ラッチ凸部１１８にラッチ凸部１８ｂを乗越えさせることができる。
【００７３】
また、平板状端子１５１の開口部１５４における幅広部１５４ａ内に位置する突出端子５３は、幅狭部１５４ｂに向って相対的に移動する。開口部１５４における遷移部１５５の一方の側（図に示される例において、前端１１１ａに沿った列内の平板状端子１５１では左側、ケーブル部１１２寄りの列内の平板状端子１５１では右側）は第１傾斜部１５５ａ及び第１頂部１５５ｂを備え、他方の側は第２傾斜部１５５ｃ及び第２頂部１５５ｄを備えている。
【００７４】
前述のように、第１傾斜部１５５ａは、第２傾斜部１５５ｃよりも傾斜が急であり、第１頂部１５５ｂは、第２頂部１５５ｄよりも後方（ケーブル部１１２寄り）に位置する。そのため、突出端子５３の側面部５３ｃは、図９（ｂ）に示されるように、まず、第１傾斜部１５５ａ及び第１頂部１５５ｂに当接する。そして、オペレータが雌コネクタ１０１を雄コネクタ１に対して該雄コネクタ１の前方に相対的に更に前進させると、突出端子５３の側面部５３ｃは、続いて、第２傾斜部１５５ｃ及び第２頂部１５５ｄに当接した後、図１１（ｂ）に示されるように、幅狭部１５４ｂ内に進入する。
【００７５】
製造上の公差等の影響によって、開口部１５４及び／又は突出端子５３に位置ずれがあっても、突出端子５３の側面部５３ｃは、常に、第１傾斜部１５５ａ及び第１頂部１５５ｂに先に当接することとなるので、第１傾斜部１５５ａ及び第１頂部１５５ｂが形成された側の腕部１５３である第１腕部１５３ａが他方の腕部１５３である第２腕部１５３ｂよりも先に弾性変形を開始して、位置ずれを吸収することができる。また、前端１１１ａに沿った列とケーブル部１１２寄りの列とでは、第１傾斜部１５５ａ及び第１頂部１５５ｂの位置が左右逆になっているので、突出端子５３及び平板状端子１５１が相互に相手から受ける横方向の力が、全体として均等化される。したがって、互いに嵌合する雄コネクタ１及び雌コネクタ１０１の状態が安定し、いわゆる斜め嵌合が発生することがなく、すべての突出端子５３と平板状端子１５１とが安定的に接触する。
【００７６】
そして、突出端子５３が幅狭部１５４ｂ内に進入すると、両側の腕部１５３は、突出端子５３の側面部５３ｃに当接し、弾性的に変位させられ、その間隔が押広げられる。したがって、突出端子５３が腕部１５３の接圧を受けるので、突出端子５３と平板状端子１５１との導通が確実に維持される。
【００７７】
このようにして、雄コネクタ１と雌コネクタ１０１との嵌合が完了すると、図１０及び１２に示されるように、コネクタ係合耳部１１３の抜止め凸部１１３ａ及び抜止め部１１３ｂがコネクタ係合凹部１３の抜止め凹部１３ａ及び抜止め部１３ｂと係合して保持される。これにより、コネクタ係合耳部１１３がコネクタ係合凹部１３から離脱することが防止され、雄コネクタ１と雌コネクタ１０１との嵌合解除が確実に防止される。
【００７８】
また、ラッチ凸部１１８が前側ラッチ凹部１８ｃ内に進入して係合して保持される。これにより、雌コネクタ１０１の雄コネクタ１に対する嵌合解除方向（図３において、矢印Ｂで示される方向と反対方向）へのスライドが防止されるので、コネクタ係合耳部１１３の抜止め凸部１１３ａ及び抜止め部１１３ｂとコネクタ係合凹部１３の抜止め凹部１３ａ及び抜止め部１３ｂとの係合解除が確実に防止される。なお、ラッチ凸部１８ｂの前方側（前側ラッチ凹部１８ｃ側）の斜面は、後方側（後側ラッチ凹部１８ｄ側）の斜面よりも傾斜が急で、かつ、ラッチ凸部１１８の前方側（前端１１１ａ側）の斜面は、後方側（抜止め凸部１１３ａ側）の斜面よりも傾斜が急である。そのため、ラッチ凸部１１８が雄コネクタ１のラッチ凸部１８ｂを乗越えて後側ラッチ凹部１８ｄ内に進入するように、雌コネクタ１０１の雄コネクタ１に対する嵌合解除方向にスライドさせるためには、比較的大きな力を付与する必要ある。したがって、雌コネクタ１０１の雄コネクタ１に対する嵌合解除方向へのスライドは、確実に防止される。
【００７９】
なお、雄コネクタ１と雌コネクタ１０１との嵌合を解除する動作については、雄コネクタ１と雌コネクタ１０１とを嵌合させるための動作と逆の動作にすぎないので、説明を省略する。
【００８０】
また、本実施の形態においては、導体パターン５１及び平板状端子１５１の列が２本である場合について説明したが、前記列の数は、２本に限定されるものでなく、複数であれば何本であってもよい。そして、一つの列の導体パターン５１と隣接する列の導体パターン５１とは本体部１１の幅方向の位置がずれていればよく、一つの列の平板状端子１５１と隣接する列の平板状端子１５１とは本体部１１１の幅方向の位置がずれていればよい。
【００８１】
さらに、本実施の形態においては、平板状端子１５１のみが配線１６１に接続されている場合について説明したが、導体パターン５１が配線１６１に接続されていてもよい。すなわち、雄コネクタ１及び雌コネクタ１０１の少なくとも一方の端子部材が平行な配線１６１の先端に接続されていればよい。
【００８２】
このように、本実施の形態において、コネクタは、雄コネクタ１の突出端子５３を収容可能な開口部１５４を含む平板状端子１５１を複数個有し、雄コネクタ１と嵌合する雌コネクタ１０１である。そして、開口部１５４は、幅広部１５４ａと、幅狭部１５４ｂと、幅広部１５４ａから幅狭部１５４ｂに移行する遷移部１５５とを含み、平面視において、平板状端子１５１の中心軸Ｃに関して左右非対称な第１の形状、又は、第１の形状を中心軸Ｃに関して反転させた第２の形状を備え、平板状端子１５１は、コネクタ１０１の幅方向に並んで配列され、かつ、第１の形状を備える開口部１５４を含む平板状端子１５１と第２の形状を備える開口部１５４を含む平板状端子１５１とが交互になるように配設される。
【００８３】
したがって、突出端子５３及び平板状端子１５１の位置ずれを適切に吸収することができ、突出端子５３及び平板状端子１５１の過大な削れ及び変形を防止することができ、小型低背でありながら、信頼性を高めることができる。
【００８４】
また、遷移部１５５は、中心軸Ｃの左右のいずれか一方に形成された第１頂部１５５ｂと、他方に形成された第２頂部１５５ｄとを含み、突出端子５３は、幅広部１５４ａから幅狭部１５４ｂに移動する際、第１頂部１５５ｂに当接した後に第２頂部１５５ｄに当接する。したがって、突出端子５３は、常に、第１頂部１５５ｂに先に当接することとなり、第１頂部１５５ｂが形成された第１腕部１５３ａが第２腕部１５３ｂよりも先に弾性変形を開始して、位置ずれを吸収することができる。
【００８５】
さらに、遷移部１５５は、第１頂部１５５ｂに接続された第１傾斜部１５５ａと、第２頂部１５５ｄに接続された第２傾斜部１５５ｃとを含み、第１傾斜部１５５ａ及び第２傾斜部１５５ｃは、中心軸Ｃに対して傾斜した傾斜部であり、第１傾斜部１５５ａは第２傾斜部１５５ｃよりも傾斜が急である。
【００８６】
さらに、平板状端子１５１は、雌コネクタ１０１の幅方向に延在する複数の列を形成するように並んで配列され、列は、第１の形状を備える開口部１５４を含む平板状端子１５１から成る列と、第２の形状を備える開口部１５４を含む平板状端子１５１とから成る列とが交互になるように形成される。したがって、突出端子５３及び平板状端子１５１が相互に相手から受ける横方向の力が、全体として均等化されるので、互いに嵌合する雄コネクタ１及び雌コネクタ１０１の状態が安定し、いわゆる斜め嵌合が発生することがなく、すべての突出端子５３と平板状端子１５１とが安定的に接触する。
【００８７】
さらに、第１の形状を備える開口部１５４を含む平板状端子１５１と、第２の形状を備える開口部１５４を含む平板状端子１５１とは、雌コネクタ１０１の幅方向に関して交互になるように配設される。したがって、突出端子５３及び平板状端子１５１が相互に相手から受ける横方向の力が、全体として均等化されるので、互いに嵌合する雄コネクタ１及び雌コネクタ１０１の状態が安定し、いわゆる斜め嵌合が発生することがなく、すべての突出端子５３と平板状端子１５１とが安定的に接触する。
【００８８】
さらに、雌コネクタ１０１は幅方向外側に延出するコネクタ係合耳部１１３を更に有し、コネクタ係合耳部１１３には雌コネクタ１０１の幅方向外側に突出するラッチ凸部１１８が形成され、雄コネクタ１は、幅方向両側に配設され、コネクタ係合耳部１１３と係合するコネクタ係合凹部１３を有し、コネクタ係合凹部１３には雄コネクタ１の幅方向中央に向けて突出するラッチ凸部１８ｂが形成され、開口部１５４に収容された突出端子５３が幅広部１５４ａから幅狭部１５４ｂに移動する方向に、雄コネクタ１を雌コネクタ１０１に対して相対的に移動させると、ラッチ凸部１１８がラッチ凸部１８ｂを乗越える。したがって、オペレータは、この際に発生する反力、振動、及び／又は、音をクリック感として、知覚することができる。
【００８９】
なお、本発明は前記実施の形態に限定されるものではなく、本発明の趣旨に基づいて種々変形させることが可能であり、それらを本発明の範囲から排除するものではない。
【産業上の利用可能性】
【００９０】
本発明は、コネクタに適用することができる。
【符号の説明】
【００９１】
１    雄コネクタ
１１、１１１    本体部
１１ａ、１１１ａ    前端
１１ｂ    後端
１３    コネクタ係合凹部
１３ａ    抜止め凹部
１３ｂ、１１３ｂ    抜止め部
１５、１１５    ベースフィルム
１６、１１９    補強層
１８、１１６    係合補強板
１８ａ    入口凹部
１８ｂ、１１８    ラッチ凸部
１８ｃ    前側ラッチ凹部
１８ｄ    後側ラッチ凹部
５１    導体パターン
５２    パターン分離空間
５３    突出端子
５３ａ    基端部
５３ｂ    先端部
５３ｃ    側面部
５６    補助金具
５６ａ    凹入部
５６ｂ    固定用耳部
５７    スペーサ部材
１０１    雌コネクタ
１１２    ケーブル部
１１２ａ    接続凹部
１１３    コネクタ係合耳部
１１３ａ    抜止め凸部
１１５ａ、１１６ａ、１１７ａ    端子対応開口
１１５ｃ、１１７ｃ    配線対応開口
１１６ｂ、１５３、９５３    腕部
１１７    カバーフィルム
１１７ｂ    スルーホール
１５１    平板状端子
１５１ａ    端子接続孔
１５２    端子分離空間
１５３ａ    第１腕部
１５３ｂ    第２腕部
１５４    開口部
１５４ａ    幅広部
１５４ｂ    幅狭部
１５５    遷移部
１５５ａ    第１傾斜部
１５５ｂ    第１頂部
１５５ｃ    第２傾斜部
１５５ｄ    第２頂部
１６１    配線
１６１ａ    接続凸部
１６２    接続端部
１６２ａ    配線接続孔
９１１    雌側基体
９５１    雌側電極パターン
９５４    端子収容開口
９５４ａ    内側開口
９５８    テール部
【図１】
2014010899.tif 000003
【図２】
2014010899.tif 000004
【図３】
2014010899.tif 000005
【図４】
2014010899.tif 000006
【図５】
2014010899.tif 000007
【図６】
2014010899.tif 000008
【図７】
2014010899.tif 000009
【図８】
2014010899.tif 000010
【図９】
2014010899.tif 000011
【図１０】
2014010899.tif 000012
【図１１】
2014010899.tif 000013
【図１２】
2014010899.tif 000014
【図１３】
2014010899.tif 000015